(57)【要約】【課題】停電等の障害が発生した場合でも、既に記録媒体に記憶された主情報については認識可能とし得る、簡易な構成の情報記録再生装置を得る。【解決手段】追加される主情報に対応する追加ＴＯＣ情報を記憶する不揮発性の追加ＴＯＣ情報記憶部１３を有する。ＴＯＣ情報抽出部１０で抽出された現ＴＯＣ情報と、追加ＴＯＣ情報記憶部１３で記憶された追加ＴＯＣ情報とから、新ＴＯＣ情報を復元する最新ＴＯＣ情報復元部１４を有する。【選択図】  図１
2004253070.tif 000002
【特許請求の範囲】
【請求項１】
記録媒体に記録された主情報を識別するために前記記録媒体に記録された識別情報を、前記記録媒体から抽出する識別情報抽出手段と、
前記記録媒体に新たな主情報を追加記録する場合に、前記追加される主情報に対応する追加識別情報を生成する追加識別情報生成手段と、
前記識別情報抽出手段で抽出された識別情報と、前記追加識別情報生成手段で生成された追加識別情報とから、主情報の追加記録後に対応した、新たな識別情報を生成する新識別情報生成手段とを備えた情報記録再生装置において、
前記追加される主情報に対応する追加識別情報を記憶する不揮発性の追加識別情報記憶手段と、
前記識別情報抽出手段で抽出された識別情報と、前記追加識別情報記憶手段で記憶された追加識別情報とから、前記新たな識別情報を復元する新識別情報復元手段とを備えていることを特徴とする情報記録再生装置。
【請求項２】
前記追加識別情報記憶手段で記憶される追加識別情報は、前記追加識別情報生成手段で生成された追加識別情報であることを特徴とする請求項１記載の情報記録再生装置。
【請求項３】
前記追加識別情報記憶手段で記憶される追加識別情報は、前記新識別情報生成手段で生成された新たな識別情報と、前記識別情報抽出手段で抽出された識別情報との差分情報であることを特徴とする請求項１記載の情報記録再生装置。
【請求項４】
前記追加識別情報記憶手段は、追加記録される主情報毎に、追加識別情報をそれぞれに記憶することを特徴とする請求項１から３の何れか１項に記載の情報記録再生装置。
【請求項５】
複数件の主情報を連続して記録媒体に記録する場合には、これら主情報の記録が終了した後に、前記新たな識別情報を記録媒体に記録することを特徴とする請求項１から４の何れか１項に記載の情報記録再生装置。
【請求項６】
前記追加識別情報記憶手段における記憶容量の残容量を測定する残容量測定手段を有し、
前記残容量測定手段が、残容量が所定の値以下になったと判断した場合には、前記新識別情報生成手段で生成された新たな識別情報を記録媒体に記録することを特徴とする請求項１から５の何れか１項に記載の情報記録再生装置。
【発明の詳細な説明】
【０００１】
【発明の属する技術分野】
本発明は、記録媒体に情報の記録再生を行なうことができる情報記録再生装置に関する。より詳しくは、記録媒体に記録された識別情報によって、主情報を管理する情報記録再生装置に関する。
【０００２】
【従来の技術】
従来より、記録媒体、例えばミニディスク（登録商標）に対して、情報の記録／再生を行なう情報記録再生装置が知られている。図３は、従来の情報記録再生装置の構成を示したブロック図である。なお、同図では、情報記録再生装置２１に記録媒体４０をセットした状態を示している。また、以下の説明においては、上記記録媒体４０をミニディスク４０として記載する。
【０００３】
上記情報記録再生装置２１は、図３に示すとおり、情報入力端子２２、情報圧縮部２３、記録信号処理部２４、情報記録部２５、情報再生部２６、再生信号処理部２７、情報伸張部２８、情報出力端子２９、ＴＯＣ情報抽出部３０、追加ＴＯＣ情報生成部３１、および、最新ＴＯＣ情報生成部３２を備えている。
【０００４】
上記情報入力端子２２は、ミニディスク４０に記録すべき情報を外部から入力するために備えらた入力端子である。また、上記情報圧縮部２３は、上記情報入力端子２２から入力された情報を圧縮処理する。
【０００５】
上記記録信号処理部２４は、上記情報圧縮部２３で圧縮処理された情報を、ミニディスクに記録可能なデータ形式へ変換処理する。また、上記情報記録部２５は、記録ヘッドや光ピックアップ等から構成され、ミニディスク４０に対して上記記録信号処理部２４で変換処理された情報を記録する。
【０００６】
上記情報再生部２６は、ミニディスク４０に記録されている情報を読み出すものであり、光ピックアップ等で構成される。また、再生信号処理部２７は、上記情報再生部２６で読み取った情報を、ミニディスク４０への記録前の形式に復元処理する。つまり、上記記録信号処理部２４にて変換処理された情報を、変換前の形式に戻す。
【０００７】
上記情報伸張部２８は、上記再生信号処理部２７で変換処理された情報に対して、伸張処理を行なう。つまり、上記情報圧縮部２３にて圧縮処理された情報を、圧縮前の形式に戻す。また、上記情報出力端子２９は、上記情報伸張部２８で伸張処理された情報を、外部へ出力するための端子である。
【０００８】
上記ＴＯＣ情報抽出部３０は、上記再生信号処理部２７で得られた再生信号のうち、ミニディスク４０に既に記録されているＴＯＣ（Ｔａｂｌｅ  ｏｆ  Ｃｏｎｔｅｎｔｓ）情報（以下、現ＴＯＣ情報と称する）を抽出する。また、上記追加ＴＯＣ情報生成部３１は、情報入力端子２２を介して、主情報の追加内容に対応するＴＯＣ情報（以下、追加ＴＯＣ情報と称する）を生成する。
【０００９】
ここで、主情報とは、ユーザが記録しようとする情報そのもの、例えば音楽データ自体を意味する。つまり、アドレス等の付随的な情報を含めない情報を指す。また、ＴＯＣ情報（識別情報）とは、主情報とは別の情報であって、主情報のトラック番号や、そのトラック番号に対応するアドレス等が記憶された、主情報を識別するための補助的な情報のことである。
【００１０】
また、上記最新ＴＯＣ情報生成部３２は、上記追加ＴＯＣ情報生成部３１で生成された追加ＴＯＣ情報と、ＴＯＣ情報抽出部３０で抽出された現ＴＯＣ情報とから、最新のＴＯＣ情報（以下、新ＴＯＣ情報と称する）を生成する。
【００１１】
そして、上記最新ＴＯＣ情報生成部３２で生成された新ＴＯＣ情報は、ミニディスク４０への主情報の記録が終了した後に、上記記録信号処理部２４に対して送信される。
【００１２】
次に、上記主情報の管理について説明する。
【００１３】
上記情報記録再生装置２１では、主情報はトラックという単位でミニディスク４０に記録される。そして、ＴＯＣ情報には、少なくとも、このトラッックの情報と、主情報が記録されているアドレスの範囲とが関連付けられて記述されている。また、併せて、ＴＯＣ情報には、ミニディスク４０における未記録領域（つまり、記録可能領域）も記述されている。
【００１４】
そして、上記情報記録再生装置２１は、主情報を再生する場合、トラック番号から対応するアドレスの情報を取得して、ミニディスク４０に記録された主情報を読み取る構成となっている。また、主情報を記録する場合には、未記録領域に主情報を記録すると共に、少なくとも、記録されたアドレスの範囲と、新たに追加されたトラック番号の情報とがＴＯＣ情報に記述される。これにより、主情報が追加された場合であっても、ＴＯＣ情報を参照することにより、主情報のアドレスの範囲を特定することができるようになっている。
【００１５】
このように、上記ＴＯＣ情報によって、主情報が管理されている。
【００１６】
ここで、主情報をミニディスク４０に追加記録する際のＴＯＣ情報の管理例を、図４（ａ）および図４（ｂ）に基づいて説明する。図４（ａ）は、主情報を追加記録する前のＴＯＣ情報を示した説明図である。また、図４（ｂ）は、主情報を追加記録した後のＴＯＣ情報を示した説明図である。なお、図４（ａ）および（ｂ）においては、説明の便宜上、ＴＯＣ情報の構成を簡易的に示している。
【００１７】
まず、ミニディスク４０には、既に３件の主情報がトラック毎に記録されているものとする。この場合、上記ＴＯＣ情報には、図４（ａ）に示すとおり、上記３件の主情報に対応するトラック番号が、それぞれトラック番号１から３として記述されている。また、同図に示すとおり、トラック番号１から３に対応する、それぞれのアドレス情報も記述されている。さらに、ミニディスク４０の記憶可能領域が、０３０１から１０００であることも記述されている。
【００１８】
ここで、新規な１件の主情報を、５０の範囲にわたり追加記録する場合には、記録可能領域の先頭のアドレスから５０の範囲にわたり主情報が記録されることになる。つまり、図４（ｂ）に示すとおり、０３０１から０３５０のアドレスの範囲にわたり、主情報が記録される。また、併せて、トラック番号の明きが１つ費やされて、新たにトラック番号４が記述される。これにより、トラック番号４とアドレス範囲０３０１から０３５０とが対応付けられる。また、記憶可能領域の範囲は、５０減って、０３５１から１０００の範囲となる。
【００１９】
ここで、上記情報記録再生装置２１における再生動作について説明する。
【００２０】
図示しない操作部により、トラック番号２に対応するトラックの再生指示がされた場合、まず、ＴＯＣ情報抽出部３０で抽出された現ＴＯＣ情報を基にして、トラック番号２に対応するトラックのアドレス情報が取得される。そして、上記情報再生部２６が、上記トラックのアドレス情報を基にして、ミニディスク４０から主情報を読み出す。その後、この読み出した主情報は、上記再生信号処理部２７および上記情報伸張部２８で再生処理された後、上記情報出力端子２９から出力されることになる。これにより、目的とする主情報の再生が行なわれる。
【００２１】
次に、上記情報記録再生装置２１における記録動作について説明する。
【００２２】
上記操作部により、ミニディスク４０に対して新規な主情報の記録指示がされた場合、情報入力端子２２から主情報が入力される。そして、入力された主情報は、上記情報圧縮部２３および記録信号処理部２４で順次処理され、上記情報記録部２５によりミニディスク４０に記録される。この際、上記主情報が記録されるアドレスは、ミニディスク４０に記録されている現ＴＯＣ情報における記憶可能領域の情報を基に決められる。
【００２３】
また、併せて、最新ＴＯＣ情報生成部３２により、上記ＴＯＣ情報抽出部３０で抽出された現ＴＯＣ情報と、上記追加ＴＯＣ情報生成部３１で生成された追加ＴＯＣ情報とから、新ＴＯＣ情報が生成される。
【００２４】
そして、主情報の記録が完了した後、上記新ＴＯＣ情報は、上記記録信号処理部２４に送られ、ここで上述した信号処理がなされる。その後、上記情報記録部２５によって、ミニディスク４０のＴＯＣ情報の格納領域に対して、新ＴＯＣ情報の書き込みが行なわれる。つまり、保存されている現ＴＯＣ情報が新ＴＯＣ情報に書換えられる。これにより、ミニディスク４０におけるＴＯＣ情報が更新され、記録動作が完了する。
【００２５】
ところで、上記のような情報記録再生装置２１では、記録動作時において、現ＴＯＣ情報を新ＴＯＣ情報に書き換えている最中に、停電等が原因で正常な書き込みが行なえなくなった場合、新たに記録された主情報が読めなくなるという問題に加えて、現ＴＯＣ情報も失われるという問題が生じる。そして、この現ＴＯＣ情報が失われることにより、もとからミニディスク４０に記録されていた主情報すらも読めなくなってしまう。
【００２６】
そこで、特開平９−３１９６４０号公報には、新ＴＯＣ情報を記録する際に、予め現ＴＯＣ情報を待避記憶させておき、新ＴＯＣ情報の正常な書込みが行なえなかった場合には、ＴＯＣ情報の格納領域の情報を一旦削除し、その後、上記待避記憶させた現ＴＯＣ情報をＴＯＣ情報の格納領域に送信する情報記録再生装置が開示されている。
【００２７】
【特許文献１】
特開平９−３１３９６４０号公報（公開日：平成９年１２月１２日）
【００２８】
【発明が解決しようとする課題】
しかしながら、上記情報記録再生装置２１および上記公報記載の情報記録再生装置においては、以下のような問題点を有する。
【００２９】
つまり、上述したように、上記の情報記録再生装置では、新たな主情報の記録を終えて、さらに、この主情報に応じて生成された新ＴＯＣ情報をＴＯＣ情報の格納領域へ記録して初めて記録動作が完了するため、記録動作に時間がかかってしまうという問題点を有する。
【００３０】
とりわけ、複数件の新たな主情報を連続してミニディスクに記録しようとした場合、１件の主情報を記録する度に新ＴＯＣ情報の記録が必要となる。このため、結果として複数回数のＴＯＣ情報の記録動作が必要になり、特に記録動作に時間がかかることとなる。
【００３１】
また、新ＴＯＣ情報の記録を１件の主情報を記録する度に行なわずに、全ての主情報の記録を終えた時点で、新ＴＯＣ情報の記録を行なう方法も考えられる。しかしながら、この方法を用いた場合、以下のような問題点を有する。
【００３２】
つまり、新ＴＯＣ情報の記録時のみならず、主情報の記録動作中においても、停電等のトラブルが発生し、最新ＴＯＣ情報生成部の新ＴＯＣ情報が失われた場合には、その時点まで記録した全ての主情報を認識できないことになってしまう。
【００３３】
とりわけ、料金を支払うことにより、ネットワークを介してミニディスクに音楽データ等をダウンロードする場合、ミニディスクに記録された新たな主情報が認識できなければ、利用者にとって大きな損害となる。
【００３４】
一方、上記最新ＴＯＣ情報生成部３２で生成された新ＴＯＣ情報を、例えば不揮発性のメモリに記憶し、停電時等でも保持できるような構成とすることも考えられる。また、無停電装置等の電源を保持する装置を設けて、新ＴＯＣ情報を、停電時等でも保持できるような構成とすることも考えられる。
【００３５】
しかしながら、新ＴＯＣ情報を不揮発性のメモリに記憶する方式をとると、例えばミニディスク４０に既に主情報が数多く保存されている場合には、最新ＴＯＣ情報生成部１２で記憶しなければならない新ＴＯＣ情報の総量が大きくなってしまう。このため、記憶容量の大きな不揮発性のメモリ（約８Ｋバイト程度の記憶容量のメモリ）が必要となる。それゆえ、コストがかさんでしまう。
【００３６】
また、不揮発性のメモリは、揮発性のメモリに比べて、情報を消去・記録する場合の応答速度が遅い。このため、情報の記録動作を行なうにあたり、時間がかかってしまう。
【００３７】
また、無停電装置等の電源を保持する装置を設ける構成では、情報記録再生装置の構成が複雑となり、コストがかさんでしまう。
【００３８】
本発明は、上記の問題点に鑑みてなされたものであって、その目的は、停電等の障害が発生した場合でも、既に記録媒体に記憶された主情報については認識可能とし得る、簡易な構成の情報記録再生装置を提供することにある。
【００３９】
【課題を解決するための手段】
本発明の情報記録再生装置は、上記の課題を解決するために、記録媒体に記録された主情報を識別するために前記記録媒体に記録された識別情報を、前記記録媒体から抽出する識別情報抽出手段と、前記記録媒体に新たな主情報を追加記録する場合に、前記追加される主情報に対応する追加識別情報を生成する追加識別情報生成手段と、前記識別情報抽出手段で抽出された識別情報と、前記追加識別情報生成手段で生成された追加識別情報とから、主情報の追加記録後に対応した、新たな識別情報を生成する新識別情報生成手段とを備えた情報記録再生装置において、前記追加される主情報に対応する追加識別情報を記憶する不揮発性の追加識別情報記憶手段と、前記識別情報抽出手段で抽出された識別情報と、前記追加識別情報記憶手段で記憶された追加識別情報とから、前記新たな識別情報を復元する新識別情報復元手段とを備えていることを特徴としている。
【００４０】
上記の構成によれば、上記追加識別情報記憶手段には、追加識別情報生成手段で生成された追加識別情報と同一の追加識別情報が記憶される。さらに、追加識別情報記憶手段は不揮発性の記憶手段であるため、情報記録再生装置へ電源の供給がなくなった場合でも、追加識別情報を記憶し続ける。
【００４１】
また、上記新識別情報復元手段は、前記識別情報抽出手段で抽出された識別情報と、前記追加識別情報記憶手段で記憶され続けている追加識別情報とから、新たな識別情報を復元する。
【００４２】
ここで、主情報の記録時に停電等の障害が発生して新識別情報生成手段で生成された新たな識別情報が揮発（消失）してしまった場合であっても、停電等の障害の復帰時に、まず、上記識別情報抽出手段により記録媒体に既に記録されている識別情報を再度抽出しておけば、その後、上記新識別情報復元手段により、揮発した新たな識別情報と同一の情報を復元することができる。
【００４３】
したがって、上記情報記録再生装置では、停電等の障害が発生した場合でも、新たな識別情報を復元できるため、既に記憶された主情報について認識が可能となる。とりわけ、利用者が料金を支払うことにより、ネットワークを介して記録媒体に音楽データ等をダウンロードするような場合には、利用者の損害を抑制することができる。
【００４４】
また、上記情報記録再生装置では、新識別情報生成部内の情報を停電時等も保持する場合に比べて、装置構成が簡易で済む。
【００４５】
また、本発明の情報記録再生装置は、上記の情報記録再生装置において、前記追加識別情報記憶手段で記憶される追加識別情報は、前記追加識別情報生成手段で生成された追加識別情報であることを特徴としている。
【００４６】
上記の構成によれば、追加識別情報記憶手段で記憶される追加識別情報は、前記追加識別情報生成手段で生成された追加識別情報である。
【００４７】
したがって、容易な構成で、追加識別情報を追加識別情報記憶手段に記憶させることができる。
【００４８】
また、本発明の情報記録再生装置は、上記の情報記録再生装置において、前記追加識別情報記憶手段で記憶される追加識別情報は、前記新識別情報生成手段で生成された新たな識別情報と、前記識別情報抽出手段で抽出された識別情報との差分情報であることを特徴としている。
【００４９】
上記の構成によっても、容易な構成で、追加識別情報を追加識別情報記憶手段に記憶させることができる。
【００５０】
また、本発明の情報記録再生装置は、上記の情報記録再生装置において、前記追加識別情報記憶手段は、追加記録される主情報毎に、追加識別情報をそれぞれに記憶することを特徴としている。
【００５１】
上記の構成によれば、追加識別情報記憶手段は、追加記録される主情報毎に、追加識別情報をそれぞれに記憶する。つまり、１件の主情報が記録媒体に記録された後、次の主情報が記録される前に、前記１件の主情報に対応する追加識別情報が追加識別情報記憶手段に記憶される。
【００５２】
したがって、複数の主情報を連続して記録する場合に、途中で停電等の障害が発生しても、それまで記録された主情報に関する追加識別情報は、追加識別情報記録手段に記録されていることになる。それゆえ、上記障害発生時までに記録がなされている主情報に関しては認識が可能となる。
【００５３】
また、本発明の情報記録再生装置は、上記の情報記録再生装置において、複数件の主情報を連続して記録媒体に記録する場合には、これら主情報の記録が終了した後に、前記新たな識別情報を記録媒体に記録することを特徴としている。
【００５４】
上記の構成によれば、複数件の主情報を連続して記録媒体に記録する場合、これら主情報の記録が終了した後に、前記新たな識別情報が記録媒体に記録される。
【００５５】
したがって、１件の主情報の記録を行なうたびに新たな識別情報の記録を行なう場合に比べて、記録に要する時間を短縮することが可能となる。
【００５６】
また、本発明の情報記録再生装置は、上記の情報記録再生装置において、前記追加識別情報記憶手段における記憶容量の残容量を測定する残容量測定手段を有し、前記残容量測定手段が、残容量が所定の値以下になったと判断した場合には、前記新識別情報生成手段で生成された新たな識別情報を記録媒体に記録することを特徴としている。
【００５７】
上記の発明によれば、容量測定手段が、残容量が所定の値以下になったと判断した場合には、前記新識別情報生成手段で生成された新識別情報が記録媒体に記録される。これにより、それまでに追加識別情報記憶手段に記憶されていた新識別情報を削除することができる。
【００５８】
したがって、追加識別情報記憶手段に、引き続き追加記録される主情報に対応した、新たな追加識別情報を記憶することができる。それゆえ、連続して主情報を追加記録しようとする場合に、追加識別情報記憶手段の残容量が少なくなっても、引き続き主情報の追加記録を行なうことが可能となる。
【００５９】
【発明の実施の形態】
本発明の実施の形態について、図１および図２に基づいて説明すれば、以下のとおりである。
【００６０】
図１は、本発明の実施の形態に係る情報記録再生装置１の構成を示したブロック図である。なお、同図では、情報記録再生装置１に記録媒体４０をセットした状態を示している。また、以下の説明においては、記録媒体４０をミニディスク４０として説明する。なお、記録媒体としては、ミニディスクに限定されるものではなく、例えば、読み書き可能なコンパクトディスク（ＣＤ）であってもよい。
【００６１】
上記情報記録再生装置１は、図１に示すとおり、情報入力端子２、情報圧縮部３、記録信号処理部４、情報記録部５、情報再生部６、再生信号処理部７、情報伸張部８、情報出力端子９、ＴＯＣ情報抽出部（識別情報抽出手段）１０、追加ＴＯＣ情報生成部（追加識別情報生成手段）１１、最新ＴＯＣ情報生成部（新識別情報生成手段）１２、追加ＴＯＣ情報記憶部（追加識別情報記憶手段）１３、および、最新ＴＯＣ情報復元部（新識別情報復元手段）１４を備えている。
【００６２】
ここで、上記情報入力端子２、情報圧縮部３、記録信号処理部４、情報記録部５、情報再生部６、再生信号処理部７、情報伸張部８、情報出力端子９、ＴＯＣ情報抽出部１０、追加ＴＯＣ情報生成部１１、および、最新ＴＯＣ情報生成部１２は、それぞれ、図３に示した従来例の構成における、上記情報入力端子２２、情報圧縮部２３、記録信号処理部２４、情報記録部２５、情報再生部２６、再生信号処理部２７、情報伸張部２８、情報出力端子２９、ＴＯＣ情報抽出部３０、追加ＴＯＣ情報生成部３１、および、最新ＴＯＣ情報生成部３２と同一であり、同一の機能を有するものである。したがって、これらの説明については、記載を省略する。
【００６３】
また、上記情報記録再生装置１では、連続して複数件の主情報を記録する際には、新ＴＯＣ情報（新たな識別情報）の記録を１件の主情報を記録する度に行なわずに、全ての主情報の記録を終えた時点で、新ＴＯＣ情報の記録が行なわれるものとする。
【００６４】
次に、追加ＴＯＣ情報記憶部１３、および、最新ＴＯＣ情報復元部１４について説明する。
【００６５】
上記追加ＴＯＣ情報記憶部１３は、上記追加ＴＯＣ情報生成部１１により生成された追加ＴＯＣ情報（追加識別情報）を記憶する。この追加ＴＯＣ情報記憶部１３は、不揮発性の記憶装置（例えばメモリ）で構成され、停電時等において、情報記録再生装置１に電源の供給ができなくなった場合でも、この追加ＴＯＣ情報記憶部１３に記憶されている情報を記憶し続けるものである。
【００６６】
さらに、上記最新ＴＯＣ情報復元部１４は、上記追加ＴＯＣ情報記憶部１３に記憶されている追加ＴＯＣ情報と、ミニディスク４０に記録されている現ＴＯＣ情報とから新ＴＯＣ情報を復元する。この復元の方法については、後述する。
【００６７】
このように、上記情報記録再生装置１は、追加される主情報に対応する追加ＴＯＣ情報（追加識別情報）を記憶する不揮発性の追加ＴＯＣ情報記憶部（追加識別情報記憶手段）１３と、上記ＴＯＣ情報抽出部（識別情報抽出手段）１０で抽出された現ＴＯＣ情報と、追加ＴＯＣ情報記憶部１３で記憶された追加ＴＯＣ情報とから、新ＴＯＣ情報を復元する最新ＴＯＣ情報復元部（新識別情報復元手段）１４とを備えた構成である。
【００６８】
ここで、上記情報記録再生装置１の記録動作について説明する。
【００６９】
図示しない操作部により、ミニディスク４０に対して１件の新規な主情報の記録指示がされた場合、情報入力端子２から主情報が入力される。そして、入力された主情報は、上記情報圧縮部３および記録信号処理部４で順次処理され、上記情報記録部５によりミニディスク４０に記録される。
【００７０】
この際、上記主情報が記録されるアドレスは、予めＴＯＣ情報抽出部１０で抽出された現ＴＯＣ情報を基に決められる。また、併せて、最新ＴＯＣ情報生成部１２により、上記ＴＯＣ情報抽出部１０で抽出された現ＴＯＣ情報と、上記追加ＴＯＣ情報生成部１１で生成された追加ＴＯＣ情報とから、新ＴＯＣ情報が生成される。
【００７１】
そして、主情報の記録が完了した後、上記新ＴＯＣ情報は、上記記録信号処理部４に送られ、ここで上述した信号処理がなされる。その後、上記情報記録部２５によって、ミニディスク４０のＴＯＣ情報の格納領域に対して、新ＴＯＣ情報の書き込みが行なわれる。つまり、保存されている現ＴＯＣ情報が新ＴＯＣ情報に書換えられる。これにより、ミニディスク４０におけるＴＯＣ情報が更新され、記録動作が完了する。
【００７２】
さらに、本実施の形態の情報記録再生装置１では、新たに主情報を記録する場合、上記追加ＴＯＣ情報記憶部１３が、上記追加ＴＯＣ情報生成部１１により生成された追加ＴＯＣ情報を記憶する。ここで、この追加ＴＯＣ情報記憶部１３は、上述したとおり、不揮発性のメモリで構成されている。したがって、この追加ＴＯＣ情報記憶部１３に記憶された情報は、停電時等でも保存されることとなる。
【００７３】
ここで、停電等の障害が発生した場合に、本実施の形態の情報記録再生装置１で行なわれる処理について説明する。
【００７４】
停電等の障害が発生した場合、本実施の形態の情報記録再生装置１においても、最新ＴＯＣ情報生成部１２にて一時記憶されている新ＴＯＣ情報が失われることとなる。
【００７５】
そこで、本実施の形態の情報記録再生装置１では、まず、図示しない停電復帰制御部の制御により、上記ＴＯＣ情報抽出部１０が、上記ミニディスク４０から現ＴＯＣ情報を抽出する。
【００７６】
そして、上記最新ＴＯＣ情報復元部１４は、上記追加ＴＯＣ情報記憶部１３に記憶されている追加ＴＯＣ情報と、上記ＴＯＣ情報抽出部１０によって抽出された現ＴＯＣ情報とを用いて、新ＴＯＣ情報を復元する。つまり、新ＴＯＣ情報と現ＴＯＣ情報との差分の情報は、追加ＴＯＣ情報であるため、上記最新ＴＯＣ情報復元部１４により、この追加ＴＯＣ情報を現ＴＯＣ情報に加えることにより、新ＴＯＣ情報が復元される。
【００７７】
以下、上述した新ＴＯＣ情報の復元処理について、図２（ａ）から（ｃ）に基づいて、具体的に説明する。ここで、図２（ａ）は、主情報を追加記録する前のＴＯＣ情報（つまり、現ＴＯＣ情報）を示した説明図である。また、図２（ｂ）は、主情報の追加記録により、新たに追加されるＴＯＣ情報（つまり、追加ＴＯＣ情報）を示した説明図である。さらに、図２（ｃ）は、新たに、主情報を追加記録した後のＴＯＣ情報（つまり、新ＴＯＣ情報）を示した説明図である。
【００７８】
図２（ａ）で示される状態から、１件の主情報をミニディスクのアドレス範囲５０にわたり追加記録する場合、記録可能領域のアドレス範囲が０３０１から１０００であって、かつ、アドレスの先頭から主情報が記録されるため、主情報はアドレス範囲０３０１から０３５０に記録されることになる。また、同図に示すとおり、主情報の追加記録を行なう前の最後のトラック番号は３であるため、アドレス範囲０３０１から０３５０をトラック番号４として、アドレス範囲とトラック番号との対応付けがなされる。また、上述したとおり、上記のトラック番号の情報と、このトラック番号等に対応する情報は、追加ＴＯＣ情報生成部１１にて生成される。
【００７９】
そして、本実施の形態の情報記録再生装置１では、上記トラック番号の情報と、このトラック番号に対応するアドレス情報とが、上記追加ＴＯＣ情報記憶部１３で保存されることになる。つまり、上記追加ＴＯＣ情報記憶部１３では、図２（ｂ）に示すとおり、新たなトラック番号４の情報と、このトラック番号に対応する、０３０１から０３５０で示されるアドレス範囲の情報とが記録される。
【００８０】
この状態において、停電等の障害が発生し、最新ＴＯＣ情報生成部１２に一時記憶されていた新ＴＯＣ情報（図２（ｃ）に相当）が消失した場合、上記最新ＴＯＣ情報復元部１４により、図２（ａ）に示す現ＴＯＣ情報と、図２（ｂ）に示す追加ＴＯＣ情報とから図２（ｃ）に示す新ＴＯＣ情報が復元されることになる。
【００８１】
以上のように、上記情報記録再生装置１では、上記最新ＴＯＣ情報復元部１４により新ＴＯＣ情報が復元されるため、停電等の障害発生時に上記最新ＴＯＣ情報生成部１２で一時保存されていた新ＴＯＣ情報と同一の新ＴＯＣ情報を復元できる。これにより、記録信号処理部４に対して、同一の新ＴＯＣ情報を送信することが可能となる。
【００８２】
その後、上記復元された新ＴＯＣ情報は、上記記録信号処理部４で信号処理される。次いで、情報記録部５によって、ミニディスク４０のＴＯＣ情報の格納領域に対して、新ＴＯＣ情報の書き込みが行なわれる。つまり、保存されている現ＴＯＣ情報が新ＴＯＣ情報に書換えられる。これにより、ミニディスク４０におけるＴＯＣ情報が更新され、記録動作が完了する。
【００８３】
上記のような構成をとることにより、例えば、新ＴＯＣ情報の書き込み際中に停電等の障害が発生したとしても、新ＴＯＣ情報が復元されるため、この新ＴＯＣ情報をミニディスク４０に記録することにより、新たに追加記録された主情報の認識が可能となる。
【００８４】
それゆえ、料金を支払うことにより、ネットワークを介してミニディスクに音楽データ等をダウンロードする場合に、新ＴＯＣ情報の書き込み中に停電等の障害が発生したとしても、ミニディスクに記録された新たな主情報を認識できるため、利用者にとって損害の発生をなくすことが可能となる。
【００８５】
また、上記の例では、１件の主情報をミニディスク４０に格納する例を示したが、複数件の主情報を記録する場合であっても、同様の処理を行なえばよい。以下、複数件の主情報を記録する際の処理を簡単に説明する。
【００８６】
まず、新たな主情報が追加記録される度に、上記追加ＴＯＣ情報生成部１１は、順次、少なくともトラック番号とこのトラック番号に対応した更新情報からなる追加ＴＯＣ情報を抽出する。そして、複数の追加ＴＯＣ情報は、上記追加ＴＯＣ情報記憶部１３において、それぞれに記憶される。つまり、追加ＴＯＣ情報記憶部１３では、複数の追加ＴＯＣ情報が保存される。
【００８７】
ここで、主情報あるいはＴＯＣ情報の記録時中に停電等の障害が発生した場合、上記最新ＴＯＣ情報復元部１４により、上記ＴＯＣ情報抽出部１０で抽出された現ＴＯＣ情報と、追加ＴＯＣ情報記憶部１３に記憶された上記複数の追加ＴＯＣ情報とから、新ＴＯＣ情報が復元されることになる。
【００８８】
したがって、新ＴＯＣ情報の記録時中に停電等の障害が発生した場合には、追加記録した全ての主情報に対する新ＴＯＣ情報が復元されるため、ユーザの損失を押さえることができる。
【００８９】
また、主情報の記録中に停電等の障害が発生した場合には、障害が発生する前までに記録されていた主情報に対する新ＴＯＣ情報が復元されるため、同様に、ユーザの損失を押さえることができる。つまり、停電時までに記録を終了していた主情報の認識が可能となる。
【００９０】
さらに、上述したとおり、上記最新ＴＯＣ情報生成部１２で生成された新ＴＯＣ情報は、全ての主情報の記録が終了した時点で、ミニディスク４０に記録される。したがって、複数件の主情報を連続してミニディスク４０に記録する場合に、一度の新ＴＯＣ情報の書込みで済むため、１つの主情報を記録する度に新ＴＯＣ情報をミニディスクに記録する方式に比べて、情報の記録時間を短縮することが可能となる。
【００９１】
このように、本実施の形態に係る情報記録再生装置１では、通常の記録時においては情報の記録時間の短縮を図り、さらに、停電等の障害発生時においては、少なくとも、この障害時までに記録を終了していた主情報の認識が可能となる。あわせて、上記最新ＴＯＣ情報生成部１２を、停電時等でも最新ＴＯＣ情報を保持できるような構成としなくてすみ、装置の構成を簡易なものとすることができる。
【００９２】
なお、上記の実施の形態においては、上記追加ＴＯＣ情報生成部１１から追加ＴＯＣ情報を取得して、上記追加ＴＯＣ情報記憶部１３にこの追加ＴＯＣ情報を記憶しているが、これに限定されるものではない。
【００９３】
例えば、上記ＴＯＣ情報抽出部１０で抽出した現ＴＯＣ情報と、最新ＴＯＣ情報生成部１２で生成された新ＴＯＣ情報との差分情報を、上記追加ＴＯＣ情報記憶部１３に記憶してもよい。この場合においても、追加ＴＯＣ情報記憶部１３には、追加ＴＯＣ情報が記憶されることになる。
【００９４】
また、追加ＴＯＣ情報記憶部１３に追加ＴＯＣ情報を記憶させる場合、この追加ＴＯＣ情報を圧縮させて記憶させてもよい。この場合には、追加ＴＯＣ情報記憶部１３に、より多くの追加ＴＯＣ情報を記憶させることが可能となる。
【００９５】
さらに、上記追加ＴＯＣ情報記憶部１３の記憶容量については、以下の処理を行なうことにより、必ずしも、想定しうる最大量の追加ＴＯＣ情報を記録できる構成でなくてもよい。
【００９６】
つまり、複数件の主情報を連続してミニディスク４０に記録する場合、１件の主情報がミニディスク４０に記録された時点で、追加ＴＯＣ情報記憶部１３における記憶可能な残り容量を判断し、この残容量が少ない場合には、最新ＴＯＣ情報生成部１２で一時保存されている新ＴＯＣ情報をミニディスク４０に記録するようにする。なお、追加ＴＯＣ情報記憶部１３における記憶可能な残り容量を判断する手段を残容量測定手段と称する。
【００９７】
このように、一旦、上記最新ＴＯＣ情報生成部１２に一時保存された新ＴＯＣ情報をミニディスク４０へ記録しておけば、追加ＴＯＣ情報記憶部１３に記憶された新ＴＯＣ情報を削除してもよくなる。
【００９８】
このため、上記追加ＴＯＣ情報記憶部１３に記憶された新ＴＯＣ情報を削除でき、追加ＴＯＣ情報記憶部１３の記憶容量の残容量を再び、初期の状態に戻すことが可能となる。
【００９９】
なお、上記追加ＴＯＣ情報記憶部１３の記憶容量については、ミニディスク４０へのＴＯＣ情報の記録頻度により、適宜決定すればよい。ただし、容量が多いほど、記録頻度を少なくすることができ、記録時間の短縮を図れる。
【０１００】
また、上記情報記録再生装置１では、連続して複数件の主情報を記録する際には、新ＴＯＣ情報（新たな識別情報）の記録を１件の主情報を記録する度に行なわずに、全ての主情報の記録を終えた時点で、新ＴＯＣ情報の記録が行なわれるものとして説明したが、これに限定されない。例えば、新ＴＯＣ情報（新たな識別情報）の記録を１件の主情報を記録する度に行ってもよい。なお、この場合には、記録時間の短縮は図れないが、新たなＴＯＣ情報の復元は可能となる。
【０１０１】
【発明の効果】
本発明の情報記録再生装置は、以上のように、前記追加される主情報に対応する追加識別情報を記憶する不揮発性の追加識別情報記憶手段と、前記識別情報抽出手段で抽出された識別情報と、前記追加識別情報記憶手段で記憶された追加識別情報とから、前記新たな識別情報を復元する新識別情報復元手段とを備えているものである。
【０１０２】
それゆえ、上記情報記録再生装置では、停電等の障害が発生した場合でも、新たな識別情報を復元できるため、既に記憶された主情報について認識が可能となるという効果を奏する。また、新識別情報生成部内の情報を停電時等も保持する構成に比べて、装置の構成が簡易で済む。
【０１０３】
また、本発明の情報記録再生装置は、上記の情報記録再生装置において、前記追加識別情報記憶手段で記憶される追加識別情報は、前記追加識別情報生成手段で生成された追加識別情報であるものである。
【０１０４】
それゆえ、容易な構成で、追加識別情報を追加識別情報記憶手段に記憶させることができるという効果を奏する。
【０１０５】
また、本発明の情報記録再生装置は、上記の情報記録再生装置において、前記追加識別情報記憶手段で記憶される追加識別情報は、前記新識別情報生成手段で生成された新たな識別情報と、前記識別情報抽出手段で抽出された識別情報との差分情報であるものである。
【０１０６】
それゆえ、容易な構成で、追加識別情報を追加識別情報記憶手段に記憶させることができるという効果を奏する。
【０１０７】
また、本発明の情報記録再生装置は、上記の情報記録再生装置において、前記追加識別情報記憶手段は、追加記録される主情報毎に、追加識別情報をそれぞれに記憶するものである。
【０１０８】
したがって、複数の主情報を連続して記録する場合に、途中で停電等の障害が発生しても、それまで記録された主情報に関する追加識別情報は、追加識別情報記録手段で記録されていることになる。それゆえ、上記障害発生時までに記録がなされている主情報に関しては認識可能となるという効果を奏する。
【０１０９】
また、本発明の情報記録再生装置は、上記の情報記録再生装置において、複数件の主情報を連続して記録媒体に記録する場合には、これら主情報の記録が終了した後に、前記新たな識別情報を記録媒体に記録するものである。
【０１１０】
それゆえ、１件の主情報の記録を行なうたびに新たな識別情報の記録を行なう場合に比べて、記録に要する時間を短縮することが可能となるという効果を奏する。
【０１１１】
また、本発明の情報記録再生装置は、上記の情報記録再生装置において、前記追加識別情報記憶手段における記憶容量の残容量を測定する残容量測定手段を有し、前記残容量測定手段が、残容量が所定の値以下になったと判断した場合には、前記新識別情報生成手段で生成された新たな識別情報を記録媒体に記録するものである。
【０１１２】
それゆえ、追加識別情報記憶手段に、引き続き追加記録される主情報に対応した、新たな追加識別情報を記憶することができる。したがって、連続して主情報を追加記録しようとする場合に、追加識別情報記憶手段の残容量が少なくなっても、引き続き主情報の追加記録を行なうことが可能となるという効果を奏する。
【図面の簡単な説明】
【図１】本発明の実施の形態に係る情報記録再生装置の構成を示したブロック図である。
【図２】（ａ）は、主情報を追加記録する前のＴＯＣ情報を示した説明図であり、（ｂ）は、主情報の追加記録により、新たに追加されるＴＯＣ情報を示した説明図であり、（ｃ）は、新たに、主情報を追加記録した後のＴＯＣ情報を示した説明図である。
【図３】従来の情報記録再生装置の構成を示したブロック図である。
【図４】（ａ）は、主情報を追加記録する前のＴＯＣ情報を示した説明図であり、（ｂ）は、主情報を追加記録した後のＴＯＣ情報を示した説明図である。
【符号の説明】
１  情報記録再生装置
３  情報圧縮部
４  記録信号処理部
５  情報記録部
６  情報再生部
７  再生信号処理部
８  情報伸張部
１０  ＴＯＣ情報抽出部（識別情報抽出手段）
１１  追加ＴＯＣ情報生成部（追加識別情報生成手段）
１２  最新ＴＯＣ情報生成部（新識別情報生成手段）
１３  追加ＴＯＣ情報記憶部（追加識別情報記憶手段）
１４  最新ＴＯＣ情報復元部（新識別情報復元手段）
４０  ミニディスク（記録媒体）
【図１】
2004253070.tif 000003
【図２】
2004253070.tif 000004
【図３】
2004253070.tif 000005
【図４】
2004253070.tif 000006